(57)【特許請求の範囲】
【請求項１】
マットを有し、
前記マットは、第１の制御部を有し、
前記マットは、第２の制御部を有し、
前記マットは、第１のリーダ／ライタを有し、
前記マットは、第２のリーダ／ライタを有し、
前記マットは、第３のリーダ／ライタを有し、
前記マットは、第４のリーダ／ライタを有し、
前記マットは、第５のリーダ／ライタを有し、
前記マットは、第６のリーダ／ライタを有し、
前記マットは、第７のリーダ／ライタを有し、
前記マットは、第８のリーダ／ライタを有し、
前記マットは、第９のリーダ／ライタを有し、
前記マットは、第１０のリーダ／ライタを有し、
前記マットは、第１１のリーダ／ライタを有し、
前記マットは、第１２のリーダ／ライタを有し、
前記マットは、第１３のリーダ／ライタを有し、
前記マットは、第１４のリーダ／ライタを有し、
前記マットは、第１５のリーダ／ライタを有し、
前記マットは、第１６のリーダ／ライタを有し、
前記第１及び前記第２の制御部のそれぞれは、制御装置に電気的に接続され、
前記第１乃至前記第１６のリーダ／ライタのそれぞれは、複数のカードのそれぞれの有するＲＦチップと通信を行うことができる機能を有し、
第１の方向において、前記第１のリーダ／ライタは、前記第１の制御部及び前記第２のリーダ／ライタの間に配置されており、
前記第１の方向において、前記第２のリーダ／ライタは、前記第１のリーダ／ライタ及び前記第３のリーダ／ライタの間に配置されており、
前記第１の方向において、前記第３のリーダ／ライタは、前記第２のリーダ／ライタ及び前記第４のリーダ／ライタの間に配置されており、
前記第１の方向において、前記第４のリーダ／ライタは、前記第３のリーダ／ライタ及び前記第２の制御部の間に配置されており、
前記第１の方向において、前記第５のリーダ／ライタは、前記第１の制御部及び前記第６のリーダ／ライタの間に配置されており、
前記第１の方向において、前記第６のリーダ／ライタは、前記第５のリーダ／ライタ及び前記第７のリーダ／ライタの間に配置されており、
前記第１の方向において、前記第７のリーダ／ライタは、前記第６のリーダ／ライタ及び前記第８のリーダ／ライタの間に配置されており、
前記第１の方向において、前記第８のリーダ／ライタは、前記第７のリーダ／ライタ及び前記第２の制御部の間に配置されており、
前記第１の方向において、前記第９のリーダ／ライタは、前記第１の制御部及び前記第１０のリーダ／ライタの間に配置されており、
前記第１の方向において、前記第１０のリーダ／ライタは、前記第９のリーダ／ライタ及び前記第１１のリーダ／ライタの間に配置されており、
前記第１の方向において、前記第１１のリーダ／ライタは、前記第１０のリーダ／ライタ及び前記第１２のリーダ／ライタの間に配置されており、
前記第１の方向において、前記第１２のリーダ／ライタは、前記第１１のリーダ／ライタ及び前記第２の制御部の間に配置されており、
前記第１の方向において、前記第１３のリーダ／ライタは、前記第１の制御部及び前記第１４のリーダ／ライタの間に配置されており、
前記第１の方向において、前記第１４のリーダ／ライタは、前記第１３のリーダ／ライタ及び前記第１５のリーダ／ライタの間に配置されており、
前記第１の方向において、前記第１５のリーダ／ライタは、前記第１４のリーダ／ライタ及び前記第１６のリーダ／ライタの間に配置されており、
前記第１の方向において、前記第１６のリーダ／ライタは、前記第１５のリーダ／ライタ及び前記第２の制御部の間に配置されており、
第２の方向において、前記第５のリーダ／ライタは、前記第１のリーダ／ライタ及び前記第９のリーダ／ライタの間に配置されており、
前記第２の方向において、前記第６のリーダ／ライタは、前記第２のリーダ／ライタ及び前記第１０のリーダ／ライタの間に配置されており、
前記第２の方向において、前記第７のリーダ／ライタは、前記第３のリーダ／ライタ及び前記第１１のリーダ／ライタの間に配置されており、
前記第２の方向において、前記第８のリーダ／ライタは、前記第４のリーダ／ライタ及び前記第１２のリーダ／ライタの間に配置されており、
前記第２の方向において、前記第９のリーダ／ライタは、前記第５のリーダ／ライタ及び前記第１３のリーダ／ライタの間に配置されており、
前記第２の方向において、前記第１０のリーダ／ライタは、前記第６のリーダ／ライタ及び前記第１４のリーダ／ライタの間に配置されており、
前記第２の方向において、前記第１１のリーダ／ライタは、前記第７のリーダ／ライタ及び前記第１５のリーダ／ライタの間に配置されており、
前記第２の方向において、前記第１２のリーダ／ライタは、前記第８のリーダ／ライタ及び前記第１６のリーダ／ライタの間に配置されており、
前記第１のリーダ／ライタは、前記第１の制御部に電気的に接続されており、
前記第２のリーダ／ライタは、前記第１の制御部に電気的に接続されており、
前記第３のリーダ／ライタは、前記第２の制御部に電気的に接続されており、
前記第４のリーダ／ライタは、前記第２の制御部に電気的に接続されており、
前記第５のリーダ／ライタは、前記第１の制御部に電気的に接続されており、
前記第６のリーダ／ライタは、前記第１の制御部に電気的に接続されており、
前記第７のリーダ／ライタは、前記第２の制御部に電気的に接続されており、
前記第８のリーダ／ライタは、前記第２の制御部に電気的に接続されており、
前記第９のリーダ／ライタは、前記第１の制御部に電気的に接続されており、
前記第１０のリーダ／ライタは、前記第１の制御部に電気的に接続されており、
前記第１１のリーダ／ライタは、前記第２の制御部に電気的に接続されており、
前記第１２のリーダ／ライタは、前記第２の制御部に電気的に接続されており、
前記第１３のリーダ／ライタは、前記第１の制御部に電気的に接続されており、
前記第１４のリーダ／ライタは、前記第１の制御部に電気的に接続されており、
前記第１５のリーダ／ライタは、前記第２の制御部に電気的に接続されており、
前記第１６のリーダ／ライタは、前記第２の制御部に電気的に接続されており、
前記第１の方向は、前記第２の方向と交差する方向であることを特徴とするカードゲーム機。
【請求項２】
マットを有し、
前記マットは、第１の制御部を有し、
前記マットは、第２の制御部を有し、
前記マットは、第３の制御部を有し、
前記マットは、第４の制御部を有し、
前記マットは、第１のリーダ／ライタを有し、
前記マットは、第２のリーダ／ライタを有し、
前記マットは、第３のリーダ／ライタを有し、
前記マットは、第４のリーダ／ライタを有し、
前記マットは、第５のリーダ／ライタを有し、
前記マットは、第６のリーダ／ライタを有し、
前記マットは、第７のリーダ／ライタを有し、
前記マットは、第８のリーダ／ライタを有し、
前記マットは、第９のリーダ／ライタを有し、
前記マットは、第１０のリーダ／ライタを有し、
前記マットは、第１１のリーダ／ライタを有し、
前記マットは、第１２のリーダ／ライタを有し、
前記マットは、第１３のリーダ／ライタを有し、
前記マットは、第１４のリーダ／ライタを有し、
前記マットは、第１５のリーダ／ライタを有し、
前記マットは、第１６のリーダ／ライタを有し、
前記第１乃至前記第４の制御部のそれぞれは、制御装置に電気的に接続され、
前記第１乃至前記第１６のリーダ／ライタのそれぞれは、複数のカードのそれぞれの有するＲＦチップと通信を行うことができる機能を有し、
第１の方向において、前記第１のリーダ／ライタは、前記第１の制御部及び前記第２のリーダ／ライタの間に配置されており、
前記第１の方向において、前記第２のリーダ／ライタは、前記第１のリーダ／ライタ及び前記第３のリーダ／ライタの間に配置されており、
前記第１の方向において、前記第３のリーダ／ライタは、前記第２のリーダ／ライタ及び前記第４のリーダ／ライタの間に配置されており、
前記第１の方向において、前記第４のリーダ／ライタは、前記第３のリーダ／ライタ及び前記第２の制御部の間に配置されており、
前記第１の方向において、前記第５のリーダ／ライタは、前記第１の制御部及び前記第６のリーダ／ライタの間に配置されており、
前記第１の方向において、前記第６のリーダ／ライタは、前記第５のリーダ／ライタ及び前記第７のリーダ／ライタの間に配置されており、
前記第１の方向において、前記第７のリーダ／ライタは、前記第６のリーダ／ライタ及び前記第８のリーダ／ライタの間に配置されており、
前記第１の方向において、前記第８のリーダ／ライタは、前記第７のリーダ／ライタ及び前記第２の制御部の間に配置されており、
前記第１の方向において、前記第９のリーダ／ライタは、前記第１の制御部及び前記第１０のリーダ／ライタの間に配置されており、
前記第１の方向において、前記第１０のリーダ／ライタは、前記第９のリーダ／ライタ及び前記第１１のリーダ／ライタの間に配置されており、
前記第１の方向において、前記第１１のリーダ／ライタは、前記第１０のリーダ／ライタ及び前記第１２のリーダ／ライタの間に配置されており、
前記第１の方向において、前記第１２のリーダ／ライタは、前記第１１のリーダ／ライタ及び前記第２の制御部の間に配置されており、
前記第１の方向において、前記第１３のリーダ／ライタは、前記第１の制御部及び前記第１４のリーダ／ライタの間に配置されており、
前記第１の方向において、前記第１４のリーダ／ライタは、前記第１３のリーダ／ライタ及び前記第１５のリーダ／ライタの間に配置されており、
前記第１の方向において、前記第１５のリーダ／ライタは、前記第１４のリーダ／ライタ及び前記第１６のリーダ／ライタの間に配置されており、
前記第１の方向において、前記第１６のリーダ／ライタは、前記第１５のリーダ／ライタ及び前記第２の制御部の間に配置されており、
第２の方向において、前記第１のリーダ／ライタは、前記第３の制御部及び前記第５のリーダ／ライタの間に配置されており、
前記第２の方向において、前記第２のリーダ／ライタは、前記第３の制御部及び前記第６のリーダ／ライタの間に配置されており、
前記第２の方向において、前記第３のリーダ／ライタは、前記第３の制御部及び前記第７のリーダ／ライタの間に配置されており、
前記第２の方向において、前記第４のリーダ／ライタは、前記第３の制御部及び前記第８のリーダ／ライタの間に配置されており、
前記第２の方向において、前記第５のリーダ／ライタは、前記第１のリーダ／ライタ及び前記第９のリーダ／ライタの間に配置されており、
前記第２の方向において、前記第６のリーダ／ライタは、前記第２のリーダ／ライタ及び前記第１０のリーダ／ライタの間に配置されており、
前記第２の方向において、前記第７のリーダ／ライタは、前記第３のリーダ／ライタ及び前記第１１のリーダ／ライタの間に配置されており、
前記第２の方向において、前記第８のリーダ／ライタは、前記第４のリーダ／ライタ及び前記第１２のリーダ／ライタの間に配置されており、
前記第２の方向において、前記第９のリーダ／ライタは、前記第５のリーダ／ライタ及び前記第１３のリーダ／ライタの間に配置されており、
前記第２の方向において、前記第１０のリーダ／ライタは、前記第６のリーダ／ライタ及び前記第１４のリーダ／ライタの間に配置されており、
前記第２の方向において、前記第１１のリーダ／ライタは、前記第７のリーダ／ライタ及び前記第１５のリーダ／ライタの間に配置されており、
前記第２の方向において、前記第１２のリーダ／ライタは、前記第８のリーダ／ライタ及び前記第１６のリーダ／ライタの間に配置されており、
前記第２の方向において、前記第１３のリーダ／ライタは、前記第９のリーダ／ライタ及び前記第４の制御部の間に配置されており、
前記第２の方向において、前記第１４のリーダ／ライタは、前記第１０のリーダ／ライタ及び前記第４の制御部の間に配置されており、
前記第２の方向において、前記第１５のリーダ／ライタは、前記第１１のリーダ／ライタ及び前記第４の制御部の間に配置されており、
前記第２の方向において、前記第１６のリーダ／ライタは、前記第１２のリーダ／ライタ及び前記第４の制御部の間に配置されており、
前記第１のリーダ／ライタは、前記第１の制御部に電気的に接続されており、
前記第２のリーダ／ライタは、前記第３の制御部に電気的に接続されており、
前記第３のリーダ／ライタは、前記第３の制御部に電気的に接続されており、
前記第４のリーダ／ライタは、前記第２の制御部に電気的に接続されており、
前記第５のリーダ／ライタは、前記第１の制御部に電気的に接続されており、
前記第６のリーダ／ライタは、前記第３の制御部に電気的に接続されており、
前記第７のリーダ／ライタは、前記第３の制御部に電気的に接続されており、
前記第８のリーダ／ライタは、前記第２の制御部に電気的に接続されており、
前記第９のリーダ／ライタは、前記第１の制御部に電気的に接続されており、
前記第１０のリーダ／ライタは、前記第４の制御部に電気的に接続されており、
前記第１１のリーダ／ライタは、前記第４の制御部に電気的に接続されており、
前記第１２のリーダ／ライタは、前記第２の制御部に電気的に接続されており、
前記第１３のリーダ／ライタは、前記第１の制御部に電気的に接続されており、
前記第１４のリーダ／ライタは、前記第４の制御部に電気的に接続されており、
前記第１５のリーダ／ライタは、前記第４の制御部に電気的に接続されており、
前記第１６のリーダ／ライタは、前記第２の制御部に電気的に接続されており、
前記第１の方向は、前記第２の方向と交差する方向であることを特徴とするカードゲーム機。
【請求項３】
請求項１又は請求項２において、
前記マットは、第１のマスを有し、
前記マットは、第２のマスを有し、
前記マットは、第３のマスを有し、
前記マットは、第４のマスを有し、
前記マットは、第５のマスを有し、
前記マットは、第６のマスを有し、
前記マットは、第７のマスを有し、
前記マットは、第８のマスを有し、
前記マットは、第９のマスを有し、
前記マットは、第１０のマスを有し、
前記マットは、第１１のマスを有し、
前記マットは、第１２のマスを有し、
前記マットは、第１３のマスを有し、
前記マットは、第１４のマスを有し、
前記マットは、第１５のマスを有し、
前記マットは、第１６のマスを有し、
前記第１のマスは、前記第１のリーダ／ライタと重なる領域を有し、
前記第１のマスは、前記第２のリーダ／ライタと重ならず、
前記第１のマスは、前記第３のリーダ／ライタと重ならず、
前記第１のマスは、前記第４のリーダ／ライタと重ならず、
前記第１のマスは、前記第５のリーダ／ライタと重ならず、
前記第１のマスは、前記第６のリーダ／ライタと重ならず、
前記第１のマスは、前記第７のリーダ／ライタと重ならず、
前記第１のマスは、前記第８のリーダ／ライタと重ならず、
前記第１のマスは、前記第９のリーダ／ライタと重ならず、
前記第１のマスは、前記第１０のリーダ／ライタと重ならず、
前記第１のマスは、前記第１１のリーダ／ライタと重ならず、
前記第１のマスは、前記第１２のリーダ／ライタと重ならず、
前記第１のマスは、前記第１３のリーダ／ライタと重ならず、
前記第１のマスは、前記第１４のリーダ／ライタと重ならず、
前記第１のマスは、前記第１５のリーダ／ライタと重ならず、
前記第１のマスは、前記第１６のリーダ／ライタと重ならず、
前記第２のマスは、前記第１のリーダ／ライタと重ならず、
前記第２のマスは、前記第２のリーダ／ライタと重なる領域を有し、
前記第２のマスは、前記第３のリーダ／ライタと重ならず、
前記第２のマスは、前記第４のリーダ／ライタと重ならず、
前記第２のマスは、前記第５のリーダ／ライタと重ならず、
前記第２のマスは、前記第６のリーダ／ライタと重ならず、
前記第２のマスは、前記第７のリーダ／ライタと重ならず、
前記第２のマスは、前記第８のリーダ／ライタと重ならず、
前記第２のマスは、前記第９のリーダ／ライタと重ならず、
前記第２のマスは、前記第１０のリーダ／ライタと重ならず、
前記第２のマスは、前記第１１のリーダ／ライタと重ならず、
前記第２のマスは、前記第１２のリーダ／ライタと重ならず、
前記第２のマスは、前記第１３のリーダ／ライタと重ならず、
前記第２のマスは、前記第１４のリーダ／ライタと重ならず、
前記第２のマスは、前記第１５のリーダ／ライタと重ならず、
前記第２のマスは、前記第１６のリーダ／ライタと重ならず、
前記第３のマスは、前記第１のリーダ／ライタと重ならず、
前記第３のマスは、前記第２のリーダ／ライタと重ならず、
前記第３のマスは、前記第３のリーダ／ライタと重なる領域を有し、
前記第３のマスは、前記第４のリーダ／ライタと重ならず、
前記第３のマスは、前記第５のリーダ／ライタと重ならず、
前記第３のマスは、前記第６のリーダ／ライタと重ならず、
前記第３のマスは、前記第７のリーダ／ライタと重ならず、
前記第３のマスは、前記第８のリーダ／ライタと重ならず、
前記第３のマスは、前記第９のリーダ／ライタと重ならず、
前記第３のマスは、前記第１０のリーダ／ライタと重ならず、
前記第３のマスは、前記第１１のリーダ／ライタと重ならず、
前記第３のマスは、前記第１２のリーダ／ライタと重ならず、
前記第３のマスは、前記第１３のリーダ／ライタと重ならず、
前記第３のマスは、前記第１４のリーダ／ライタと重ならず、
前記第３のマスは、前記第１５のリーダ／ライタと重ならず、
前記第３のマスは、前記第１６のリーダ／ライタと重ならず、
前記第４のマスは、前記第１のリーダ／ライタと重ならず、
前記第４のマスは、前記第２のリーダ／ライタと重ならず、
前記第４のマスは、前記第３のリーダ／ライタと重ならず、
前記第４のマスは、前記第４のリーダ／ライタと重なる領域を有し、
前記第４のマスは、前記第５のリーダ／ライタと重ならず、
前記第４のマスは、前記第６のリーダ／ライタと重ならず、
前記第４のマスは、前記第７のリーダ／ライタと重ならず、
前記第４のマスは、前記第８のリーダ／ライタと重ならず、
前記第４のマスは、前記第９のリーダ／ライタと重ならず、
前記第４のマスは、前記第１０のリーダ／ライタと重ならず、
前記第４のマスは、前記第１１のリーダ／ライタと重ならず、
前記第４のマスは、前記第１２のリーダ／ライタと重ならず、
前記第４のマスは、前記第１３のリーダ／ライタと重ならず、
前記第４のマスは、前記第１４のリーダ／ライタと重ならず、
前記第４のマスは、前記第１５のリーダ／ライタと重ならず、
前記第４のマスは、前記第１６のリーダ／ライタと重ならず、
前記第５のマスは、前記第１のリーダ／ライタと重ならず、
前記第５のマスは、前記第２のリーダ／ライタと重ならず、
前記第５のマスは、前記第３のリーダ／ライタと重ならず、
前記第５のマスは、前記第４のリーダ／ライタと重ならず、
前記第５のマスは、前記第５のリーダ／ライタと重なる領域を有し、
前記第５のマスは、前記第６のリーダ／ライタと重ならず、
前記第５のマスは、前記第７のリーダ／ライタと重ならず、
前記第５のマスは、前記第８のリーダ／ライタと重ならず、
前記第５のマスは、前記第９のリーダ／ライタと重ならず、
前記第５のマスは、前記第１０のリーダ／ライタと重ならず、
前記第５のマスは、前記第１１のリーダ／ライタと重ならず、
前記第５のマスは、前記第１２のリーダ／ライタと重ならず、
前記第５のマスは、前記第１３のリーダ／ライタと重ならず、
前記第５のマスは、前記第１４のリーダ／ライタと重ならず、
前記第５のマスは、前記第１５のリーダ／ライタと重ならず、
前記第５のマスは、前記第１６のリーダ／ライタと重ならず、
前記第６のマスは、前記第１のリーダ／ライタと重ならず、
前記第６のマスは、前記第２のリーダ／ライタと重ならず、
前記第６のマスは、前記第３のリーダ／ライタと重ならず、
前記第６のマスは、前記第４のリーダ／ライタと重ならず、
前記第６のマスは、前記第５のリーダ／ライタと重ならず、
前記第６のマスは、前記第６のリーダ／ライタと重なる領域を有し、
前記第６のマスは、前記第７のリーダ／ライタと重ならず、
前記第６のマスは、前記第８のリーダ／ライタと重ならず、
前記第６のマスは、前記第９のリーダ／ライタと重ならず、
前記第６のマスは、前記第１０のリーダ／ライタと重ならず、
前記第６のマスは、前記第１１のリーダ／ライタと重ならず、
前記第６のマスは、前記第１２のリーダ／ライタと重ならず、
前記第６のマスは、前記第１３のリーダ／ライタと重ならず、
前記第６のマスは、前記第１４のリーダ／ライタと重ならず、
前記第６のマスは、前記第１５のリーダ／ライタと重ならず、
前記第６のマスは、前記第１６のリーダ／ライタと重ならず、
前記第７のマスは、前記第１のリーダ／ライタと重ならず、
前記第７のマスは、前記第２のリーダ／ライタと重ならず、
前記第７のマスは、前記第３のリーダ／ライタと重ならず、
前記第７のマスは、前記第４のリーダ／ライタと重ならず、
前記第７のマスは、前記第５のリーダ／ライタと重ならず、
前記第７のマスは、前記第６のリーダ／ライタと重ならず、
前記第７のマスは、前記第７のリーダ／ライタと重なる領域を有し、
前記第７のマスは、前記第８のリーダ／ライタと重ならず、
前記第７のマスは、前記第９のリーダ／ライタと重ならず、
前記第７のマスは、前記第１０のリーダ／ライタと重ならず、
前記第７のマスは、前記第１１のリーダ／ライタと重ならず、
前記第７のマスは、前記第１２のリーダ／ライタと重ならず、
前記第７のマスは、前記第１３のリーダ／ライタと重ならず、
前記第７のマスは、前記第１４のリーダ／ライタと重ならず、
前記第７のマスは、前記第１５のリーダ／ライタと重ならず、
前記第７のマスは、前記第１６のリーダ／ライタと重ならず、
前記第８のマスは、前記第１のリーダ／ライタと重ならず、
前記第８のマスは、前記第２のリーダ／ライタと重ならず、
前記第８のマスは、前記第３のリーダ／ライタと重ならず、
前記第８のマスは、前記第４のリーダ／ライタと重ならず、
前記第８のマスは、前記第５のリーダ／ライタと重ならず、
前記第８のマスは、前記第６のリーダ／ライタと重ならず、
前記第８のマスは、前記第７のリーダ／ライタと重ならず、
前記第８のマスは、前記第８のリーダ／ライタと重なる領域を有し、
前記第８のマスは、前記第９のリーダ／ライタと重ならず、
前記第８のマスは、前記第１０のリーダ／ライタと重ならず、
前記第８のマスは、前記第１１のリーダ／ライタと重ならず、
前記第８のマスは、前記第１２のリーダ／ライタと重ならず、
前記第８のマスは、前記第１３のリーダ／ライタと重ならず、
前記第８のマスは、前記第１４のリーダ／ライタと重ならず、
前記第８のマスは、前記第１５のリーダ／ライタと重ならず、
前記第８のマスは、前記第１６のリーダ／ライタと重ならず、
前記第９のマスは、前記第１のリーダ／ライタと重ならず、
前記第９のマスは、前記第２のリーダ／ライタと重ならず、
前記第９のマスは、前記第３のリーダ／ライタと重ならず、
前記第９のマスは、前記第４のリーダ／ライタと重ならず、
前記第９のマスは、前記第５のリーダ／ライタと重ならず、
前記第９のマスは、前記第６のリーダ／ライタと重ならず、
前記第９のマスは、前記第７のリーダ／ライタと重ならず、
前記第９のマスは、前記第８のリーダ／ライタと重ならず、
前記第９のマスは、前記第９のリーダ／ライタと重なる領域を有し、
前記第９のマスは、前記第１０のリーダ／ライタと重ならず、
前記第９のマスは、前記第１１のリーダ／ライタと重ならず、
前記第９のマスは、前記第１２のリーダ／ライタと重ならず、
前記第９のマスは、前記第１３のリーダ／ライタと重ならず、
前記第９のマスは、前記第１４のリーダ／ライタと重ならず、
前記第９のマスは、前記第１５のリーダ／ライタと重ならず、
前記第９のマスは、前記第１６のリーダ／ライタと重ならず、
前記第１０のマスは、前記第１のリーダ／ライタと重ならず、
前記第１０のマスは、前記第２のリーダ／ライタと重ならず、
前記第１０のマスは、前記第３のリーダ／ライタと重ならず、
前記第１０のマスは、前記第４のリーダ／ライタと重ならず、
前記第１０のマスは、前記第５のリーダ／ライタと重ならず、
前記第１０のマスは、前記第６のリーダ／ライタと重ならず、
前記第１０のマスは、前記第７のリーダ／ライタと重ならず、
前記第１０のマスは、前記第８のリーダ／ライタと重ならず、
前記第１０のマスは、前記第９のリーダ／ライタと重ならず、
前記第１０のマスは、前記第１０のリーダ／ライタと重なる領域を有し、
前記第１０のマスは、前記第１１のリーダ／ライタと重ならず、
前記第１０のマスは、前記第１２のリーダ／ライタと重ならず、
前記第１０のマスは、前記第１３のリーダ／ライタと重ならず、
前記第１０のマスは、前記第１４のリーダ／ライタと重ならず、
前記第１０のマスは、前記第１５のリーダ／ライタと重ならず、
前記第１０のマスは、前記第１６のリーダ／ライタと重ならず、
前記第１１のマスは、前記第１のリーダ／ライタと重ならず、
前記第１１のマスは、前記第２のリーダ／ライタと重ならず、
前記第１１のマスは、前記第３のリーダ／ライタと重ならず、
前記第１１のマスは、前記第４のリーダ／ライタと重ならず、
前記第１１のマスは、前記第５のリーダ／ライタと重ならず、
前記第１１のマスは、前記第６のリーダ／ライタと重ならず、
前記第１１のマスは、前記第７のリーダ／ライタと重ならず、
前記第１１のマスは、前記第８のリーダ／ライタと重ならず、
前記第１１のマスは、前記第９のリーダ／ライタと重ならず、
前記第１１のマスは、前記第１０のリーダ／ライタと重ならず、
前記第１１のマスは、前記第１１のリーダ／ライタと重なる領域を有し、
前記第１１のマスは、前記第１２のリーダ／ライタと重ならず、
前記第１１のマスは、前記第１３のリーダ／ライタと重ならず、
前記第１１のマスは、前記第１４のリーダ／ライタと重ならず、
前記第１１のマスは、前記第１５のリーダ／ライタと重ならず、
前記第１１のマスは、前記第１６のリーダ／ライタと重ならず、
前記第１２のマスは、前記第１のリーダ／ライタと重ならず、
前記第１２のマスは、前記第２のリーダ／ライタと重ならず、
前記第１２のマスは、前記第３のリーダ／ライタと重ならず、
前記第１２のマスは、前記第４のリーダ／ライタと重ならず、
前記第１２のマスは、前記第５のリーダ／ライタと重ならず、
前記第１２のマスは、前記第６のリーダ／ライタと重ならず、
前記第１２のマスは、前記第７のリーダ／ライタと重ならず、
前記第１２のマスは、前記第８のリーダ／ライタと重ならず、
前記第１２のマスは、前記第９のリーダ／ライタと重ならず、
前記第１２のマスは、前記第１０のリーダ／ライタと重ならず、
前記第１２のマスは、前記第１１のリーダ／ライタと重ならず、
前記第１２のマスは、前記第１２のリーダ／ライタと重なる領域を有し、
前記第１２のマスは、前記第１３のリーダ／ライタと重ならず、
前記第１２のマスは、前記第１４のリーダ／ライタと重ならず、
前記第１２のマスは、前記第１５のリーダ／ライタと重ならず、
前記第１２のマスは、前記第１６のリーダ／ライタと重ならず、
前記第１３のマスは、前記第１のリーダ／ライタと重ならず、
前記第１３のマスは、前記第２のリーダ／ライタと重ならず、
前記第１３のマスは、前記第３のリーダ／ライタと重ならず、
前記第１３のマスは、前記第４のリーダ／ライタと重ならず、
前記第１３のマスは、前記第５のリーダ／ライタと重ならず、
前記第１３のマスは、前記第６のリーダ／ライタと重ならず、
前記第１３のマスは、前記第７のリーダ／ライタと重ならず、
前記第１３のマスは、前記第８のリーダ／ライタと重ならず、
前記第１３のマスは、前記第９のリーダ／ライタと重ならず、
前記第１３のマスは、前記第１０のリーダ／ライタと重ならず、
前記第１３のマスは、前記第１１のリーダ／ライタと重ならず、
前記第１３のマスは、前記第１２のリーダ／ライタと重ならず、
前記第１３のマスは、前記第１３のリーダ／ライタと重なる領域を有し、
前記第１３のマスは、前記第１４のリーダ／ライタと重ならず、
前記第１３のマスは、前記第１５のリーダ／ライタと重ならず、
前記第１３のマスは、前記第１６のリーダ／ライタと重ならず、
前記第１４のマスは、前記第１のリーダ／ライタと重ならず、
前記第１４のマスは、前記第２のリーダ／ライタと重ならず、
前記第１４のマスは、前記第３のリーダ／ライタと重ならず、
前記第１４のマスは、前記第４のリーダ／ライタと重ならず、
前記第１４のマスは、前記第５のリーダ／ライタと重ならず、
前記第１４のマスは、前記第６のリーダ／ライタと重ならず、
前記第１４のマスは、前記第７のリーダ／ライタと重ならず、
前記第１４のマスは、前記第８のリーダ／ライタと重ならず、
前記第１４のマスは、前記第９のリーダ／ライタと重ならず、
前記第１４のマスは、前記第１０のリーダ／ライタと重ならず、
前記第１４のマスは、前記第１１のリーダ／ライタと重ならず、
前記第１４のマスは、前記第１２のリーダ／ライタと重ならず、
前記第１４のマスは、前記第１３のリーダ／ライタと重ならず、
前記第１４のマスは、前記第１４のリーダ／ライタと重なる領域を有し、
前記第１４のマスは、前記第１５のリーダ／ライタと重ならず、
前記第１４のマスは、前記第１６のリーダ／ライタと重ならず、
前記第１５のマスは、前記第１のリーダ／ライタと重ならず、
前記第１５のマスは、前記第２のリーダ／ライタと重ならず、
前記第１５のマスは、前記第３のリーダ／ライタと重ならず、
前記第１５のマスは、前記第４のリーダ／ライタと重ならず、
前記第１５のマスは、前記第５のリーダ／ライタと重ならず、
前記第１５のマスは、前記第６のリーダ／ライタと重ならず、
前記第１５のマスは、前記第７のリーダ／ライタと重ならず、
前記第１５のマスは、前記第８のリーダ／ライタと重ならず、
前記第１５のマスは、前記第９のリーダ／ライタと重ならず、
前記第１５のマスは、前記第１０のリーダ／ライタと重ならず、
前記第１５のマスは、前記第１１のリーダ／ライタと重ならず、
前記第１５のマスは、前記第１２のリーダ／ライタと重ならず、
前記第１５のマスは、前記第１３のリーダ／ライタと重ならず、
前記第１５のマスは、前記第１４のリーダ／ライタと重ならず、
前記第１５のマスは、前記第１５のリーダ／ライタと重なる領域を有し、
前記第１５のマスは、前記第１６のリーダ／ライタと重ならず、
前記第１６のマスは、前記第１のリーダ／ライタと重ならず、
前記第１６のマスは、前記第２のリーダ／ライタと重ならず、
前記第１６のマスは、前記第３のリーダ／ライタと重ならず、
前記第１６のマスは、前記第４のリーダ／ライタと重ならず、
前記第１６のマスは、前記第５のリーダ／ライタと重ならず、
前記第１６のマスは、前記第６のリーダ／ライタと重ならず、
前記第１６のマスは、前記第７のリーダ／ライタと重ならず、
前記第１６のマスは、前記第８のリーダ／ライタと重ならず、
前記第１６のマスは、前記第９のリーダ／ライタと重ならず、
前記第１６のマスは、前記第１０のリーダ／ライタと重ならず、
前記第１６のマスは、前記第１１のリーダ／ライタと重ならず、
前記第１６のマスは、前記第１２のリーダ／ライタと重ならず、
前記第１６のマスは、前記第１３のリーダ／ライタと重ならず、
前記第１６のマスは、前記第１４のリーダ／ライタと重ならず、
前記第１６のマスは、前記第１５のリーダ／ライタと重ならず、
前記第１６のマスは、前記第１６のリーダ／ライタと重なる領域を有することを特徴とするカードゲーム機。
【請求項４】
請求項１乃至請求項３のいずれか一項において、
前記制御装置は、複数の通信端末のそれぞれと赤外線を用いて通信することができる機能を有し、
前記複数の通信端末のそれぞれは、外部のネットワークに接続することができる機能を有することを特徴とするカードゲーム機。
【発明の詳細な説明】
【技術分野】
【０００１】
本発明はゲーム機に関する。特に、無線通信可能な半導体装置を有するカードを用いたゲーム機に関する。
【背景技術】
【０００２】
カードゲームには多くの種類が存在する。トランプ又はカルタ等が代表的である。カードゲームの一つとして、トレーディングカードゲーム（コレクタブルカードゲームともいう。）がある。無線通信可能な半導体装置を有するトレーディングカードに関する技術として特許文献１が挙げられる。
【特許文献１】特開平１１−２４４５３７号公報
【発明の開示】
【発明が解決しようとする課題】
【０００３】
トレーディングカードはゲーム性のみならず収集性をも備え、希少なカードは愛好家間で高額取引されることもある。しかし、近年のコピー技術の発展等から精巧な偽物が作製されることも少なくなく、セキュリティ面での対策が必要である。
【０００４】
また、無線通信可能な半導体装置を有する従来のトレーディングカードでは、カードの認識は一枚毎としていたため、ゲーム性の拡張に限界があった。
【０００５】
本発明は、上記課題を鑑み、ゲームの拡張性が高く、カードの偽造が困難なカードゲーム機を提供することを課題とする。
【課題を解決するための手段】
【０００６】
本発明は、カードゲーム機であって、カードは無線通信可能な半導体装置（ＲＦチップ）を有し、カードの状態（種類、配置、向き、又はこれらの組み合わせ等）を認識することが可能な構成を有するカードゲーム機である。カードが複数枚である場合には、認識は複数のカードにおいて同時に行うことが可能であり、好ましい。
【０００７】
また、本発明のカードゲーム機はゲーム盤を有し、該ゲーム盤は複数のリーダ／ライタ（以下、Ｒ／Ｗと表記することがある。）を有する。更に、ゲーム盤及びカードはＲＦチップを有する。ＲＦチップはＡ／Ｄ変換回路を有することが好ましい。
【０００８】
なお、カードの形状は特に限定されないが、四角形又は角が丸い四角形とすることが好ましい。また、カードに搭載される無線通信可能な半導体装置はカードの中心ではなく、上下左右を固定した一定の位置とすることが好ましい。より好ましくは、カードの四隅のいずれかとする。また、カードの形状を角が丸い四角形とすることで、カードを取り扱いやすくすることができる。
【発明の効果】
【０００９】
本発明のカードゲーム機では、ゲーム盤に複数のリーダ／ライタとＲＦチップを配置することで、カードが有するデータのみならず信号強度を検出して、ゲーム盤上に置かれたカードが有するＲＦチップの位置を詳細に特定することができる。
【００１０】
また、好ましくは、ＲＦチップが固定される位置をカード内の任意の一定の位置とすることで、カードの位置のみならず、カードの向いている方向または表裏等を認識することが可能となる。
【００１１】
上記のように、ＲＦチップに記憶された情報と、ゲーム盤上におけるＲＦチップの詳細な位置情報により、カードの種類、配置、向き、又はこれらの組み合わせを認識させることができ、ゲーム性の拡張を図ることができる。例えば、カードが表のときには第１のパラメータを用い、カードが裏のときには第２のパラメータを用いるルールとすることで、第１のパラメータが低いカードであっても、表裏が逆になることで第２のパラメータを用いることになり、第１のパラメータが低いカードが第１のパラメータが高いカードに勝利することが可能になり、ゲームのおもしろさが増すことになる。
【００１２】
また、本発明のゲーム機を用いることで、ルールが複雑化してもルールに従った進行が可能であり、ルールの統一が可能であるのみならず、ルールを覚える煩雑さを解消することができる。更には、ゲーム難易度の調整及びゲームの種類の変更をソフトの変更により行うことも可能である。
【発明を実施するための最良の形態】
【００１３】
本発明の実施の形態について、図面を参照して以下に説明する。ただし、本発明は以下の説明に限定されるものではない。本発明の趣旨及びその範囲から逸脱することなくその形態及び詳細を様々に変更し得ることは、当業者であれば容易に理解されるからである。したがって、本発明は以下に示す実施の形態及び実施例の記載内容のみに限定して解釈されるものではない。なお、図面を用いて本発明の構成を説明するにあたり、同じものを指す符号は異なる図面間でも共通して用いる。
【００１４】
図１は、本発明のカードゲーム機の一例を示す。本発明のカードゲーム機は、複数のリーダ／ライタ１１６が配置されたＲ／Ｗ内蔵マット１００と、Ｒ／Ｗ内蔵マット１００を制御する制御装置１０１と、制御装置１０１を操作する外部コントローラ１０４と、通信端末１０３と、を有する。更にはモニター１０５を有することが好ましい。複数のリーダ／ライタ１１６は、必ずしもマトリクス状に配置されていなくてもよいが、マトリクス状に設けられていることが好ましい。なお、Ｒ／Ｗ内蔵マット１００は、複数のリーダ／ライタが配されてゲーム盤として用いられるものであり、Ｒ／Ｗ内蔵パッド、Ｒ／Ｗ内蔵盤、Ｒ／Ｗ搭載マット、Ｒ／Ｗ搭載パッド、Ｒ／Ｗ搭載盤などと呼んでもよい。
【００１５】
制御装置１０１は、通信端末１０３と通信を行うアンテナ１０２と、無線通信インターフェイス部１０６と、外部コントローラインターフェイス部１０９と、Ｒ／Ｗインターフェイス部１１２と、記憶部１９０と、制御及び演算部１９１と、を有する。記憶部１９０は、ＲＡＭ１０７と、ＲＯＭ１０８と、ＨＤ１１０と、を有する。制御及び演算部１９１はＣＰＵ１１１を有する。モニター１０５が接続される場合には、更にモニターインターフェイス部１１５を有する。好ましくは、赤外線ポート１１７を有する。
【００１６】
カード１１３は、ＲＦチップ１１４を有し、ＲＦチップ１１４は、Ｒ／Ｗ内蔵マット１００が有するリーダ／ライタ１１６を介して制御装置１０１と無線通信を行う構成を有する。なお、ＲＦチップ１１４は、無線通信可能な半導体装置に相当し、その構成等は特に限定されない。
【００１７】
ＣＰＵ１１１は、中央演算処理装置（Ｃｅｎｔｒａｌ  Ｐｒｏｃｅｓｓｉｎｇ  Ｕｎｉｔ）であり、演算機能及び制御機能を有していればよい。
【００１８】
ＲＡＭ１０７（Ｒａｎｄｏｍ  Ａｃｃｅｓｓ  Ｍｅｍｏｒｙ）は、例えばＣＰＵ１１１の主記憶装置として機能する。主記憶装置とは、ＣＰＵが直接アクセス可能な記憶装置であり、ＣＰＵの動作に用いられる装置をいう。ＲＡＭ１０７として、例えば、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）またはＦｅＲＡＭ（Ｆｅｒｒｏｅｌｅｃｔｒｉｃ  Ｒａｎｄｏｍ  Ａｃｃｅｓｓ  Ｍｅｍｏｒｙ）等を用いることができるが、これらに限定されない。用途及び機能に応じて、適したものを選択すればよい。
【００１９】
ＲＯＭ１０８（Ｒｅａｄ  Ｏｎｌｙ  Ｍｅｍｏｒｙ）は、制御装置１０１に固有のシリアルナンバー等を記憶する。また、制御装置１０１の起動時に必要な動作を行うためのプログラムが記憶されていても良い。ＲＯＭ１０８としては、例えば、マスクＲＯＭ（Ｒｅａｄ  Ｏｎｌｙ  Ｍｅｍｏｒｙ）、ＰＲＯＭ（Ｐｒｏｇｒａｍｍａｂｌｅ  Ｒｅａｄ  Ｏｎｌｙ  Ｍｅｍｏｒｙ）、ＥＰＲＯＭ（Ｅｌｅｃｔｒｉｃａｌｌｙ  Ｐｒｏｇｒａｍｍａｂｌｅ  Ｒｅａｄ  Ｏｎｌｙ  Ｍｅｍｏｒｙ）又はＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を用いることができるが、これらに限定されない。
【００２０】
ＨＤ１１０（Ｈａｒｄ  Ｄｉｓｋ）は、制御装置１０１の動作に必要なプログラム及び必要なデータの記憶に用いられる。しかし、これに限定されず、制御装置１０１の動作に必要なプログラムはその他の記憶装置に記憶されていても良い。また、ＨＤ１１０に相当する記憶装置が、制御装置１０１から着脱できるものであっても良い。つまり、ＨＤ１１０はハードディスクに限定されず、他の種類の記憶装置であってもよい。
【００２１】
無線通信インターフェイス部１０６は、アンテナ１０２を介して通信端末１０３と信号の送受信が可能な構成であればよい。
【００２２】
通信端末１０３は、外部のネットワークに接続することのできる構成を有していればよい。例えば、通信端末１０３としてパーソナルコンピュータが挙げられるが、これに限定されない。通信端末１０３が外部のネットワークに接続されると、ソフトウェアの更新を行うことが可能となるため、新たなソフトウェアの導入又はソフトウェアのアップデート等を行うことが可能となる。導入されたソフトウェアは、ＨＤ１１０に保存される。しかし、これに限定されず、ＲＡＭ１０７又はＲＯＭ１０８に保存されてもよい。ＲＡＭ１０７は、記憶の保持に電力の供給が必要なため、例えば、通信端末１０３の通信速度とＨＤ１１０のアクセス速度に隔たりがある場合の一時的な記憶手段として用いることが好ましい。
【００２３】
通信端末１０３が外部のネットワークに接続されることで、遠隔地の他のプレイヤーとのリアルタイムでの対戦（オンライン対戦という。）が可能となる。
【００２４】
なお、本発明はこれに限定されない。例えば、制御装置１０１と通信端末１０３は有線による通信を行っても良い。または、制御装置１０１と通信端末１０３がアンテナ１０２を介することなく通信を行ってもよい。制御装置と通信端末がアンテナを介することなく通信を行う方式として、例えば赤外線通信が挙げられる。赤外線通信を行う場合には、アンテナ１０２に換えて赤外線通信ポートを設ければよい。このような場合には無線通信インターフェイスも、通信方式に対応した変更が必要となる。また、制御装置１０１が、アンテナ１０２と赤外線ポート１１７の双方を有していても良い。
【００２５】
なお、赤外線は電波よりも回折を起こしにくく、信号が空間的に拡がりにくいため、赤外線による通信は他の通信端末から傍受されにくい。そのため、不正なアクセスを防止することが可能であり、セキュリティ性に優れている。
【００２６】
なお、通信端末１０３は、携帯型の機器（携帯電話機又は携帯型ゲーム機）であることが好ましい。通信端末１０３が携帯型の機器であると、様々な場所での遊戯が可能となる。
【００２７】
また、通信端末１０３は、外部のネットワークのみならず、近くに存在する他の通信端末と通信を行ってもよい。他の通信端末と通信を行うことにより、相手が近くにいる場合にはネットワークを介さずとも対戦を行うことができる。なお、他の通信端末との通信は、赤外線により行えば良い。赤外線通信を行うための赤外線ポートは制御装置１０１に組み込まれていることが好ましい。この場合には、制御装置１０１が通信端末１０３と通信を行う赤外線ポート１１７を併用しても良い。
【００２８】
なお、本発明のカードゲーム機が赤外線通信可能な構成と、外部ネットワークとの通信が可能な構成と、を有することが好ましい。これらの構成の双方を有することで、上記のメリットのすべてを享受できる。
【００２９】
Ｒ／Ｗインターフェイス部１１２は、複数のリーダ／ライタのそれぞれが有するＲ／Ｗ制御部２０６より送信された信号を必要に応じて加工し、ＣＰＵ１１１又はＲＡＭ１０７に送信することができる構成を有していればよい（図２を参照）。
【００３０】
Ｒ／Ｗ内蔵マット１００は、通信部として複数のアンテナがマトリクス状に配置されている。アンテナにより受信された信号は、Ｒ／Ｗインターフェイス部１１２に、一のアンテナからの受信信号と他のアンテナからの受信信号とを区別して入力される。
【００３１】
リーダ／ライタ１１６の一例について、図２を参照して説明する。図２におけるリーダ／ライタ１１６は、受信部２０４及び送信部２０５からなる送受信部と、Ｒ／Ｗ制御部２０６と、アンテナ回路２００と、によって構成されている。アンテナ回路２００は、アンテナ２０１と、共振容量として機能する容量素子２０３と、を有する。Ｒ／Ｗ制御部２０６は、Ｒ／Ｗインターフェイス部１１２を介してＣＰＵ１１１の制御により動作する。Ｒ／Ｗ制御部２０６は、データ処理結果を受信部２０４から受信し、又はデータ処理命令を送信部２０５に送信する。送信部２０５はＲＦチップ１１４に送信するデータ処理命令を変調し、アンテナ回路２００から電磁波として出力する。また、受信部２０４は、アンテナ回路２００で受信された信号を復調し、データ処理結果としてＲ／Ｗ制御部２０６に出力する。Ｒ／Ｗ制御部２０６は、制御装置１０１とのインターフェイス部を有しており、制御装置１０１が有するＲ／Ｗインターフェイス部１１２に接続されている。
【００３２】
なお、図２に示すリーダ／ライタ１１６は、本発明のリーダ／ライタの一例であり、図２に示す形態に限定されない。例えば、リーダ／ライタ１１６はアンテナ回路を有していてもよく、受信部及び送信部がそれぞれ異なるアンテナに接続されていてもよい。
【００３３】
また、Ｒ／Ｗ内蔵マット１００にリーダ／ライタ１１６がマトリクス状に配置されるときの形態についても特に限定されない。ここで、リーダ／ライタ１１６が縦に４個、横に４個配置されるときの例を図３に示す。
【００３４】
図３（Ａ）に示すＲ／Ｗ内蔵マット１００Ａは、Ｒ／Ｗ制御部２０６Ａを有する。複数のリーダ／ライタ１１６Ａはマトリクス状に配置され、Ｒ／Ｗ制御部２０６Ａに電気的に接続されている。Ｒ／Ｗ内蔵マット１００Ａは一の制御部を有するため、信号を送受信するための配線は全て一方向に引き出されている。
【００３５】
図３（Ｂ）に示すＲ／Ｗ内蔵マット１００Ｂは、Ｒ／Ｗ制御部２０６Ｂａ及びＲ／Ｗ制御部２０６Ｂｂを有する。複数のリーダ／ライタ１１６Ｂはマトリクス状に配置され、Ｒ／Ｗ制御部２０６Ｂａ又はＲ／Ｗ制御部２０６Ｂｂに電気的に接続されている。Ｒ／Ｗ内蔵マット１００Ｂは対向する位置に二の制御部を有するため、信号を送受信するための配線は、そのＲ／Ｗから最も近い位置に設けられた制御部に引き出されている。しかし、Ｒ／Ｗ制御部は、必ずしも対向した位置に設けなくとも良い。図３（Ｃ）に示すように、複数のリーダ／ライタ１１６Ｃを有するＲ／Ｗ内蔵マット１００Ｃが、Ｒ／Ｗ制御部２０６Ｃａ及びＲ／Ｗ制御部２０６Ｃｂを有し、これらが隣接するように配置されていてもよい。
【００３６】
なお、ここでＡとＢとが電気的に接続されている、とは、ＡとＢとが電気的に接続されている場合（つまり、ＡとＢとの間に別の素子や別の回路を挟んで接続されている場合）と、ＡとＢとが機能的に接続されている場合（つまり、ＡとＢとの間に別の回路を挟んで機能的に接続されている場合）と、ＡとＢとが直接接続されている場合（つまり、ＡとＢとの間に別の素子や別の回路を挟まずに接続されている場合）とを含むものとする。
【００３７】
または、図３（Ｄ）に示すように、Ｒ／Ｗ内蔵マット１００Ｄが複数のリーダ／ライタ１１６Ｄを有し、これらがマトリクス状に配置され、各々から信号を送受信する配線が、最も近いＲ／Ｗ制御部２０６Ｄａ〜Ｄｄのいずれかに接続されていても良い。
【００３８】
なお、Ｒ／Ｗ内蔵マット１００は、可撓性であることが好ましい。可撓性とすることで、持ち運びが容易になり、様々な場所での遊戯が可能となる。Ｒ／Ｗ内蔵マット１００が可撓性であり、且つ通信端末１０３が携帯型の機器（携帯電話機又は携帯型ゲーム機）であることが最も好ましい。
【００３９】
図１では、外部コントローラ１０４は、外部コントローラインターフェイス部１０９を介して制御装置１０１に接続されている。外部コントローラインターフェイス部１０９は、外部コントローラ１０４から制御装置１０１に入力される信号を、必要に応じて処理に適した形に加工し、ＣＰＵ１１１に送信する。また、外部コントローラ１０４は、制御装置１０１と、有線又は無線による通信を行う構成であっても良いし、制御装置１０１の筐体に設けられていても良い。また、外部コントローラ１０４の形態は特に限定されず、利用者が情報を入力できる入力装置であればよい。例えば、外部コントローラ１０４として音声マイク等を用いても良い。外部コントローラは必要のない場合には設けなくても良い。
【００４０】
モニター１０５は、モニターインターフェイス部１１５を介して制御装置１０１に接続されている。モニターインターフェイス部１１５は、ＣＰＵ１１１からの信号を、必要に応じて、モニター１０５に加工し、送信する。モニター１０５は、ＣＰＵ１１１からの信号に応じて情報の表示を行う。また、モニター１０５は、制御装置１０１と、有線又は無線による通信を行う構成であっても良いし、制御装置１０１の筐体に搭載されていても良い。また、モニター１０５の形態は特に限定されず、利用者が情報を検知できる出力装置であればよい。例えば、モニター１０５としてスピーカを用いても良いし、表示装置を用いても良い。モニター１０５は、特に必要のない場合には設けなくても良い。
【００４１】
次に、ＲＦチップ１１４を有するカード１１３について図４を参照して説明する。図４では、カード１１３としてトランプを用いた場合について説明する。ＲＦチップ１１４は、カード１１３に漉き込まれていることが好ましい。
【００４２】
また、ＲＦチップ１１４は、カード１１３の中心からずれた位置に配置されることが好ましい。より好ましくは、図４に示すように、四隅のいずれか又はその近傍に配置されることが好ましい。リーダ／ライタ１１６が受信する信号の強度から、カード１１３におけるＲＦチップ１１４の位置を読み取ることが可能となるため、カード１１３の上下又は裏表等のカードの状態を読み取ることができる。
【００４３】
次に、カード１１３をＲ／Ｗ内蔵マット１００の任意の位置に置いた際の動作について図５を参照して説明する。Ｒ／Ｗ内蔵マット１００にはマス目が設けられているものとする。
【００４４】
まず、カード１１３を、Ｒ／Ｗ内蔵マット１００の任意のマス目に置く（ステップ３００）。マス目下には、一のマスに対して、少なくとも一のリーダ／ライタ１１６が配置されていることが好ましい。ＲＦチップ１１４には、近傍のリーダ／ライタ１１６から信号が送信される（ステップ３０１）。信号を受信したＲＦチップ１１４からは、リーダ／ライタ１１６に対して信号が送信される（ステップ３０２）。ここで、ＲＦチップ１１４は、必要に応じて信号を加工して送信してもよい。リーダ／ライタ１１６に受信された信号は受信部２０４で復調され、復調された信号はＲ／Ｗ制御部２０６に送信される（ステップ３０３）。この信号は、Ｒ／Ｗインターフェイス部１１２を介して制御装置１０１内のＲＡＭ１０７に送信される（ステップ３０４）。ＲＡＭ１０７に信号が送信されると、ＲＡＭ１０７に当該情報が一時的に記憶され、この情報を基にＣＰＵ１１１が制御及び演算を行い（ステップ３０５）、ＨＤ１１０に位置情報が記憶される（ステップ３０６）。または、ＣＰＵ１１１に信号が送信され、その信号に応じてＣＰＵ１１１が制御及び演算を行う構成であってもよい。
【００４５】
次に、本発明のＲＦチップ１１４の好ましい形態について説明する。
【００４６】
図６は、ＲＦチップ１１４のブロック図を示す。ＲＦチップ１１４は、前述したように、リーダ／ライタ１１６を用いた無線信号により、データの送受信をおこなう。
【００４７】
図６におけるＲＦチップ１１４は、信号送受信部４０１、信号強度検出部４０２及び信号演算部４０３を有する。信号送受信部４０１は、アンテナ４０４と、整流回路４０５と、復調回路４０６と、変調回路４０７と、を有する。また、信号強度検出部４０２は、整流回路４０８と、電源回路４０９と、Ａ／Ｄ変換回路４１０と、を有する。また、信号演算部４０３は、ＣＰＵ４１１と、ＲＯＭ４１２と、ＲＡＭ４１３と、を有する。信号演算部４０３は、ＣＰＵ４１１等の論理回路と、ＣＰＵ４１１のプログラムを格納する書き込み可能なＲＯＭ４１２として不揮発性メモリと、ワーク領域としてのＲＡＭ４１３として揮発性メモリと、を有する。例えば、ＲＯＭ４１２としては、ＥＥＰＲＯＭを用い、ＲＡＭ４１３としては、ＳＲＡＭを用いればよい。
【００４８】
なお、ＲＦチップ１１４における信号強度検出部４０２は、ＲＦチップ１１４が受信した信号の強度を検出する機能を有するものである。また、信号演算部４０３は、ＲＦチップ１１４が受信した信号の強度から、リーダ／ライタ１１６とＲＦチップ１１４の距離の算出を行う機能を有するものである。また、信号送受信部４０１は、ＲＦチップ１１４が受信した信号を信号演算部４０３に入力し、ＲＦチップ１１４の識別情報を信号演算部４０３のＲＯＭ４１２又はＲＡＭ４１３等の記憶回路より読み出してリーダ／ライタ１１６に送信する機能、及び信号演算部４０３で算出されたリーダ／ライタ１１６とＲＦチップ１１４間の距離の情報をリーダ／ライタ１１６に送信する機能を有する。
【００４９】
図６において、信号送受信部４０１では、アンテナ４０４で受信した信号が整流回路４０５に入力される。整流回路４０５からの出力信号は復調回路４０６に入力される。復調回路４０６からの出力信号は信号演算部４０３に入力され、ＲＦチップ１１４の情報が変調回路４０７に出力される。そして変調回路４０７からの出力信号はアンテナに出力され、ＲＦチップ外部のリーダ／ライタに出力される。
【００５０】
図６において、信号強度検出部４０２では、信号送受信部４０１のアンテナ４０４で受信した信号が整流回路４０８に入力される。整流回路４０８からの出力信号は電源回路４０９に入力される。電源回路４０９からの出力はＡ／Ｄ変換回路４１０に入力される。電源回路４０９からの出力はＲＦチップ１１４の各回路に電力としても供給される。Ａ／Ｄ変換回路４１０は、電源回路４０９から出力されたアナログ値の信号をデジタル値の信号に変換し、信号演算部４０３に出力する。
【００５１】
図６において、信号演算部４０３では、信号強度検出部４０２におけるＡ／Ｄ変換回路４１０より出力されたデジタル値の信号をもとにして、リーダ／ライタ１１６とＲＦチップ１１４との間の距離を算出する。信号演算部４０３におけるリーダ／ライタ１１６とＲＦチップ１１４との間の距離の算出は、ソフトウェア的な処理を行うことが好ましい。ソフトウェア的な処理を行う方式では、ＣＰＵ４１１、ＲＯＭ４１２及びＲＡＭ４１３で演算回路を構成し、距離算出プログラムをＣＰＵ４１１で実行する。ソフトウェア的な処理を行うことにより、距離の算出方法を修正する際に、プログラムの修正を行うことで対応することができ、さらにはＲＦチップ１１４内におけるハードウェアの専有面積も小さくすることができる。もちろんハードウェアによって距離を算出してもよいし、ハードウェアとソフトウェアを併用して距離算出を行ってもよい。なお算出された距離に関するデータについては、信号送受信部４０１における変調回路４０７及びアンテナ４０４を介してリーダ／ライタ１１６に出力される。
【００５２】
なお、本発明に用いることのできるＲＦチップはこれに限定されない。Ａ／Ｄ変換回路等はリーダ／ライタに搭載されていても良い。
【００５３】
なお、ＲＯＭ４１２には、各ＲＦチップに固有の識別情報（例えば、カードのシリアルナンバー）が記憶されていることが好ましい。各ＲＦチップが固有の識別情報を有することで、カードの不正な偽造を防ぐことができる。
【００５４】
次に、本発明におけるＲＦチップを用いた位置情報の検出について、図７乃至図９を参照して説明する。図７は、Ｒ／Ｗ制御部５０１と、リーダ／ライタ１１６ＡＡ〜１１６ＣＤと、ＲＦチップ５０２Ａ〜５０２Ｈと、を有するＲ／Ｗ内蔵マット５００を示す。
【００５５】
図８は、リーダ／ライタ１１６ＡＡ〜１１６ＢＣから発信される無線信号について、第１〜第３の信号強度となる地点を点線で結んだ図を示している。ＲＦチップ１１４が例えば検出点Ｐに存在するときを考える。点Ｐはリーダ／ライタ１１６ＢＡの第２の等信号強度線上にあり、且つリーダ／ライタ１１６ＢＢの第３の等信号強度線上に存在する。
【００５６】
図９は、理想的な環境（障害物や反射物の存在しない環境）における、リーダ／ライタからＲＦチップの距離と、リーダ／ライタから発信された無線信号の信号強度と、の関係を示した図である。図９において、距離が増大すると、信号強度は減少する。すなわち、距離が定まると、信号強度が一意に特定できる。また、信号強度が決まると、距離が一意に特定できるものとする。
【００５７】
なお、図９において、第１の等信号強度線における信号強度をＰ１とし、第２の等信号強度線における信号強度をＰ２とし、第３の等信号強度線における信号強度をＰ３としている。そして、リーダ／ライタと該リーダ／ライタの第１の等信号強度線との距離をＬ１とし、第２の等信号強度線との距離をＬ２とし、第３の等信号強度線との距離をＬ３としている。
【００５８】
なお、ＲＦチップ５０２Ａ〜５０２Ｃは、無線信号の信号強度を検出し、図９に示した距離と信号強度との関係を用いて、検出した信号強度から距離を算出する機能を有している。また、リーダ／ライタ１１６ＡＡ〜１１６ＢＣとＲＦチップ５０２Ａ〜５０２Ｃの距離は一定のものとするため、リーダ／ライタ１１６ＡＡ〜１１６ＢＣとＲＦチップ５０２Ａ〜５０２Ｃとの距離と信号強度の関係から、ＲＦチップ１１４の位置が算出できる。つまり、リーダ／ライタと、Ｒ／Ｗ内蔵マットに搭載されたＲＦチップとの距離は既知であるから、これをリファレンスとして用いることでカード１１３に搭載されたＲＦチップ１１４の位置を算出することができる。
【００５９】
なお、信号強度から距離を算出する機能はＲＦチップが有していてもよいし、リーダ／ライタが有していてもよい。信号強度から距離を算出する機能をリーダ／ライタが有している場合には、ＲＦチップは、信号強度を検出する機能と、検出した信号強度を送信データとしてリーダ／ライタに送信する機能と、を有していれば良い。信号強度から距離を算出する機能をリーダ／ライタが有する構成とすることにより、ＲＦチップの小型化及び低消費電力化を図ることができるため好ましい。
【００６０】
また、算出した距離から位置を特定する機能はリーダ／ライタが有していてもよいし、制御装置１０１のＣＰＵ１１１が有していてもよい。算出距離から位置を特定する機能をＣＰＵ１１１が有する場合、リーダ／ライタの小型化及び低消費電力化を図ることができるため好ましい。
【００６１】
また、リーダ／ライタを発信源とする無線信号を、ＲＦチップで検出する場合について説明したが、ＲＦチップを発信源とする無線信号を、リーダ／ライタで検出する構成としてもよい。なお、ＲＦチップを無線信号の発信源とし、リーダ／ライタで無線信号を検出する構成とする場合には、ＲＦチップに蓄電部を設ければよい。ＲＦチップに蓄電部を設ける構成とすることにより、通信距離を伸ばすことができるため、好ましい。また、ＲＦチップに蓄電部を具備する構成とする場合には、当該蓄電部は充電可能な２次電池等としても良い。蓄電部を２次電池とすることにより、蓄電部である電池の交換を行うことなく使用することができ、位置を特定できる。
【００６２】
次に、本発明におけるＲＦチップを用いた位置情報検出のフローチャートについて、図１０乃至図１２を用いて説明する。図１０は、本発明におけるＲＦチップを用いた位置情報検出システムのフローチャートである。図１１は、本発明におけるＲＦチップを用いた位置情報検出システムの位置補正操作６０１のフローチャートである。図１２は、本発明におけるＲＦチップを用いた位置情報検出システムの位置検出操作６０２のフローチャートである。
【００６３】
図１０（Ａ）は、位置情報検出システムの第１のフローチャートである。図１０（Ａ）に示す方式では、位置補正操作６０１と、位置検出操作６０２と、を繰り返す。本方式は、位置検出操作の前にのみ位置補正操作６０１を行うため、不必要な位置補正操作６０１を行う必要がない。
【００６４】
図１０（Ｂ）は、位置情報検出システムの第２のフローチャートである。図１０（Ｂ）に示す方式では、位置補正操作６０１の後に第１の判別（検出判別）６０３が行われる。第１の判別（検出判別）６０３により、位置検出操作６０２に移行するか、位置補正操作６０１を繰り返すか、を判定する。また、第１の判別（検出判別）６０３は、リーダ／ライタ、もしくはリーダ／ライタを管理するサーバ（制御装置等）で行うことが好ましい。
【００６５】
図１０（Ｃ）は、位置情報検出システムの第３のフローチャートである。図１０（Ｃ）に示す方式では、位置検出操作６０２の後に、第２の判別（補正判別）６０４が行われる。なお、第２の判別（補正判別）６０４により、位置補正操作６０１に移行するか、位置検出操作６０２を繰り返すか、を判定する。また、第２の判別（補正判別）６０４は、リーダ／ライタ、もしくはリーダ／ライタを管理するサーバ（制御装置等）で行う。本方式は、対象物の位置情報検出を頻繁に行う場合に好ましい方式である。
【００６６】
図１１（Ａ）は、位置補正操作６０１の第１のフローチャートである。本フローチャートは、信号強度から距離を算出する機能をＲＦチップが有し、算出距離から位置を算出する機能をリーダ／ライタが有する場合のフローチャートである。
【００６７】
まず、リーダ／ライタから無線信号を発信（無線信号発信７０１）し、ＲＦチップで無線信号を受信して信号強度を検出（信号強度検出７０２）する。次に、ＲＦチップで信号強度から距離を算出（距離算出７０３）し、算出距離を送信データとしてリーダ／ライタに送信（算出距離送信７０４）する。リーダ／ライタは、算出距離を受信（算出距離受信７０５）し、算出距離と、リーダ／ライタと位置情報が既知のＲＦチップとの間の距離とを比較（実距離と算出距離比較７０６）する。また、リーダ／ライタは、比較結果に応じて、算出距離の補正方法を決定（補正方法決定７０７）する。
【００６８】
なお、本方式では、算出距離を補正する機能をリーダ／ライタが有する場合について説明したが、別に設けたサーバが算出距離を補正する機能を有する構成としても良い。また、リーダ／ライタを発信源とする無線信号を、ＲＦチップで検出する場合について説明したが、ＲＦチップを発信源とする無線信号を、リーダ／ライタで検出する構成とすることも可能である。
【００６９】
図１１（Ｂ）は、位置補正操作の第２のフローチャートである。本フローチャートは、信号強度から距離を算出する機能と、算出距離から位置を算出する機能と、をリーダ／ライタが有する場合のフローチャートである。
【００７０】
まず、リーダ／ライタから無線信号を発信（無線信号発信７０１）し、ＲＦチップで無線信号を受信して信号強度を検出（信号強度検出７０２）する。ＲＦチップは信号強度を送信データとして、リーダ／ライタに送信（信号強度送信７０８）する。リーダ／ライタは信号強度を受信（信号強度受信７０９）し、信号強度から距離を算出（距離算出７１０）する。リーダ／ライタは、算出距離と、リーダ／ライタと位置情報が既知のＲＦチップとの間の距離とを比較（実距離と算出距離比較７０６）する。また、リーダ／ライタは、比較結果に応じて、算出距離の補正方法を決定（補正方法決定７０７）する。
【００７１】
なお、本方式では、算出距離を補正する機能をリーダ／ライタが有する場合について説明したが、別に設けたサーバが有する構成としても良い。また、リーダ／ライタを発信源とする無線信号をＲＦチップで検出する場合について説明したが、ＲＦチップを発信源とする無線信号をリーダ／ライタで検出する構成とすることも可能である。算出距離を補正する機能を別に設けたサーバが有する構成とすることにより、リーダ／ライタの小型化及び低消費電力化を図ることができるため好ましい。
【００７２】
図１２（Ａ）は、位置検出操作６０２の第１のフローチャートである。本フローチャートは、信号強度から距離を算出する機能をＲＦチップが有し、算出距離から位置を算出する機能をリーダ／ライタが有する場合のフローチャートである。
【００７３】
まず、リーダ／ライタから無線信号を発信（無線信号発信８０１）し、ＲＦチップで無線信号を受信して信号強度を検出（信号強度検出８０２）する。次に、ＲＦチップで信号強度から距離を算出（距離算出８０３）し、算出距離を送信データとしてリーダ／ライタに送信（算出距離送信８０４）する。リーダ／ライタは、算出距離を受信（算出距離受信８０５）し、位置補正操作により決定している補正方法に従って算出距離を補正（算出距離補正８０６）する。また、リーダ／ライタは、補正した算出距離から、対象物の位置を算出（位置算出８０７）する。
【００７４】
なお、本方式では、算出距離を補正する機能と、位置を算出する機能と、をリーダ／ライタが有する場合について説明したが、別に設けたサーバが算出距離を補正する機能を有する構成としても良い。算出距離を補正する機能及び位置を算出する機能を別に設けたサーバが有する構成とすることにより、リーダ／ライタの小型化及び低消費電力化を図ることができるため好ましい。
【００７５】
また、リーダ／ライタを発信源とする無線信号を、ＲＦチップで検出する場合について説明したが、ＲＦチップを発信源とする無線信号を、リーダ／ライタで検出する構成とすることも可能である。ＲＦチップを無線信号の発信源とし、リーダ／ライタで無線信号を検出する構成とする場合には、ＲＦチップに蓄電部を設ける構成とすればよい。ＲＦチップに蓄電部を設ける構成とすることにより、通信距離を伸ばすことができるため好ましい。また、ＲＦチップに蓄電部を具備する構成では、当該蓄電部は充電可能な蓄電部（２次電池）としても良い。蓄電部を２次電池とすることにより、蓄電部である電池の交換を行うことなく、位置情報検出システムを用いることができるため好ましい。
【００７６】
図１２（Ｂ）は、位置検出操作６０２の第２のフローチャートである。本フローチャートは、信号強度から距離を算出する機能と、算出距離から位置を算出する機能と、をリーダ／ライタが有する場合のフローチャートである。
【００７７】
まず、リーダ／ライタから無線信号を発信（無線信号発信８０１）し、ＲＦチップで無線信号を受信して信号強度を検出（信号強度検出８０２）する。次に、ＲＦチップは信号強度を送信データとしてリーダ／ライタに送信（信号強度送信８０８）する。リーダ／ライタは信号強度を受信（信号強度受信８０９）し、信号強度から距離を算出（距離算出８１０）する。リーダ／ライタは、位置補正操作により決定している補正方法に従って算出距離を補正（算出距離補正８０６）する。また、リーダ／ライタは、補正した算出距離から、対象物の位置を算出（位置算出８０７）する。
【００７８】
なお、本方式では、算出距離を補正する機能と、位置を算出する機能と、をリーダ／ライタが有する場合について説明したが、制御装置１０１が有するＣＰＵ１１１がこれらの機能を有していても良い。これらの機能をＣＰＵ１１１が有することにより、リーダ／ライタの小型化及び低消費電力化を図ることができるため好ましい。
【００７９】
また、リーダ／ライタを発信源とする無線信号を、ＲＦチップで検出する場合について説明したが、ＲＦチップを発信源とする無線信号を、リーダ／ライタで検出する構成としてもよい。ＲＦチップを無線信号の発信源とし、リーダ／ライタで無線信号を検出する構成では、ＲＦチップに蓄電部を設ける構成とすればよい。ＲＦチップに蓄電部を設ける構成とすることにより、通信距離を伸ばすことができるため好ましい。また、ＲＦチップに蓄電部を具備する構成では、当該蓄電部は充電可能な蓄電部（２次電池）としても良い。蓄電部を２次電池とすることにより、蓄電部である電池の交換を行うことなく、位置情報の検出を行うことができるため好ましい。
【００８０】
なお、上記説明したようにＲＦチップと複数のリーダ／ライタとの間の距離によりＲＦチップの詳細な位置を特定することができる。詳細に特定されたＲＦチップの位置情報からカードの上下又は裏表等の情報が得られ、これらの情報はＨＤ１１０に記憶される。本発明のゲーム機を用いることで、特定の相手との戦績等を詳細に記録しておくことも可能である。しかし、これに限定されず、このような戦績はカードが有するＲＦチップに記憶部を設け、該記憶部に記憶していく形態であっても良い。
【００８１】
以上のように本発明のカードゲーム機を用いることで、目の前の相手との対戦又は遠隔地の相手との対戦が可能なカードゲームが実現できる。本発明のカードゲーム機は従来のものとは異なり、複数のリーダ／ライタで複数のカードのデータ及び位置等を同時に読み取るため、カードの読み取りが一枚ずつであった従来のカードゲーム機よりもゲーム性の拡張が可能となる。
【図面の簡単な説明】
【００８２】
【図１】本発明を説明する図。
【図２】本発明のリーダ／ライタを説明する図。
【図３】本発明のＲ／Ｗ内蔵マットを説明する図。
【図４】本発明のカードを説明する図。
【図５】本発明を説明する図。
【図６】本発明のＲＦチップを説明する図。
【図７】本発明のＲ／Ｗ内蔵マットの一例を説明する図。
【図８】本発明のＲ／Ｗ内蔵マットからの電波強度分布を説明する図。
【図９】無線信号の距離と信号強度の関係について示す図。
【図１０】本発明におけるＲＦチップを用いた位置情報検出システムのフローチャートについて示す図。
【図１１】本発明におけるＲＦチップを用いた位置情報検出システムの位置補正操作のフローチャートについて示す図。
【図１２】本発明におけるＲＦチップを用いた位置情報検出システムの位置検出操作のフローチャートについて示す図。
【符号の説明】
【００８３】
１００    Ｒ／Ｗ内蔵マット
１００Ａ    Ｒ／Ｗ内蔵マット
１００Ｂ    Ｒ／Ｗ内蔵マット
１００Ｃ    Ｒ／Ｗ内蔵マット
１００Ｄ    Ｒ／Ｗ内蔵マット
１０１    制御装置
１０２    アンテナ
１０３    通信端末
１０４    外部コントローラ
１０５    モニター
１０６    無線通信インターフェイス部
１０７    ＲＡＭ
１０８    ＲＯＭ
１０９    外部コントローラインターフェイス部
１１０    ＨＤ
１１１    ＣＰＵ
１１２    Ｒ／Ｗインターフェイス部
１１３    カード
１１４    ＲＦチップ
１１５    モニターインターフェイス部
１１６    リーダ／ライタ
１１６Ａ    リーダ／ライタ
１１６Ｂ    リーダ／ライタ
１１６Ｃ    リーダ／ライタ
１１６Ｄ    リーダ／ライタ
１１６ＡＡ    リーダ／ライタ
１１６ＡＢ    リーダ／ライタ
１１６ＡＣ    リーダ／ライタ
１１６ＡＤ    リーダ／ライタ
１１６ＢＡ    リーダ／ライタ
１１６ＢＢ    リーダ／ライタ
１１６ＢＣ    リーダ／ライタ
１１６ＢＤ    リーダ／ライタ
１１６ＣＡ    リーダ／ライタ
１１６ＣＢ    リーダ／ライタ
１１６ＣＣ    リーダ／ライタ
１１６ＣＤ    リーダ／ライタ
１９０    記憶部
１９１    制御及び演算部
２００    アンテナ回路
２０１    アンテナ
２０３    容量素子
２０４    受信部
２０５    送信部
２０６    Ｒ／Ｗ制御部
２０６Ａ    Ｒ／Ｗ制御部
２０６Ｂａ    Ｒ／Ｗ制御部
２０６Ｂｂ    Ｒ／Ｗ制御部
２０６Ｃａ    Ｒ／Ｗ制御部
２０６Ｃｂ    Ｒ／Ｗ制御部
２０６Ｄａ    Ｒ／Ｗ制御部
２０６Ｄｂ    Ｒ／Ｗ制御部
２０６Ｄｃ    Ｒ／Ｗ制御部
２０６Ｄｄ    Ｒ／Ｗ制御部
３００    ステップ
３０１    ステップ
３０２    ステップ
３０３    ステップ
３０４    ステップ
３０５    ステップ
３０６    ステップ
４０１    信号送受信部
４０３    信号演算部
４０４    アンテナ
４０５    整流回路
４０６    復調回路
４０７    変調回路
４０８    整流回路
４０９    電源回路
４１０    Ａ／Ｄ変換回路
４１１    ＣＰＵ
４１２    ＲＯＭ
４１３    ＲＡＭ
５００    Ｒ／Ｗ内蔵マット
５０１    Ｒ／Ｗ制御部
５０２Ａ    ＲＦチップ
５０２Ｂ    ＲＦチップ
５０２Ｃ    ＲＦチップ
５０２Ｄ    ＲＦチップ
５０２Ｅ    ＲＦチップ
５０２Ｆ    ＲＦチップ
５０２Ｇ    ＲＦチップ
５０２Ｈ    ＲＦチップ
６０１    位置補正操作
６０２    位置検出操作
６０３    第１の判別（検出判別）
６０４    第２の判別（補正判別）
７０１    無線信号発信
７０２    信号強度検出
７０３    距離算出
７０４    算出距離送信
７０５    算出距離受信
７０６    実距離と算出距離比較
７０７    補正方法決定
７０８    信号強度送信
７０９    信号強度受信
７１０    距離算出
８０１    無線信号発信
８０２    信号強度検出
８０３    距離算出
８０４    算出距離送信
８０５    算出距離受信
８０６    算出距離補正
８０７    位置算出
８０８    信号強度送信
８０９    信号強度受信
８１０    距離算出
【図１】
0005331378.tif 000002
【図２】
0005331378.tif 000003
【図３】
0005331378.tif 000004
【図４】
0005331378.tif 000005
【図５】
0005331378.tif 000006
【図６】
0005331378.tif 000007
【図７】
0005331378.tif 000008
【図８】
0005331378.tif 000009
【図９】
0005331378.tif 000010
【図１０】
0005331378.tif 000011
【図１１】
0005331378.tif 000012
【図１２】
0005331378.tif 000013